(57)【要約】      （修正有）【課題】電波が保管庫の筐体に妨害される事無く良好な高速ＬＡＮ通信を可能とするルーター組込み式充電保管庫を提供する。【解決手段】ルーター組込み式充電保管庫は、ルーター本体１を充電保管庫の筐体６内に収納するとともにアンテナ部２を筐体６外に露出させ、ルーター本体１と筐体６内の複数の携帯端末５を接続するか、又はルーター本体１とアンテナ部２を分離してアンテナ部２を筐体６外に配置しルーター本体１を筐体６内に収納し、かつルーター本体１とアンテナ部２を相互にケーブルで接続するとともに、ルーター本体１と複数の携帯端末５を有線または無線で接続する。【選択図】図１
0003233808.tif 000002
【実用新案登録請求の範囲】
【請求項１】
複数の携帯端末を充電する充電保管庫において、保管庫の筐体内に配置する携帯端末を無線ルーターに接続する構成において、ルーター本体を筐体内に収納するとともにアンテナ部を筐体外に露出させ、ルーター本体と筐体内の複数の携帯端末を有線または無線で接続することにより、電波が保管庫の筐体に妨害される事無く良好な高速ＬＡＮ通信を可能とする、ルーター組込み式充電保管庫。
【請求項２】
複数の携帯端末を充電する充電保管庫において、保管庫の筐体内に配置する携帯端末を無線ルーターに接続する構成において、ルーター本体とアンテナ部を分離してアンテナ部を筐体外に配置し、ルーター本体を筐体内に収納し、ルーター本体とアンテナ部を相互にケーブルで接続するとともに、ルーター本体と複数の携帯端末を有線または無線で接続することにより、電波が保管庫の筐体に妨害される事無く、良好な高速ＬＡＮ通信を可能とする、請求項１に記載する、ルーター組込み式充電保管庫。
【請求項３】
複数の携帯端末を充電する充電保管庫において、電流検出センサを通過する充電電流検出パスと電流検出センサを通過させない充電パスを保管庫の筐体内に配置する携帯端末ごとに備え、検出パスと充電パスをスイッチにより切り替えて、それぞれの携帯端末への充電電流を計測して携帯端末ごとに充電を制御する、請求項１ならびに請求項２に記載する、ルーター組込み式充電保管庫。
【考案の詳細な説明】
【技術分野】
【０００１】ＧＩＧＡスクール構想やリモートワークの普及などにより携帯端末の普及が著しく、複数の携帯端末の電池を充電するための充電保管庫の需要が急速に伸びている。このような状況においては、保管庫内に収納した携帯端末に対して一斉または個別にデータの更新を行うニーズが高まっておりＬＡＮ経由でのデータ更新、ならびに電池残量を常時監視して携帯端末ごとに充電を行うことにより、全ての携帯端末の充電残量を均一化しておく充電方式が求められている。
【背景技術】
【０００２】充電保管庫内に収納した携帯端末には秘匿性の高い重要なデータも記憶されているため、充電保管庫の筐体を金属により堅牢に構成して施錠が求められることにより、電波の透過性の悪化や妨害により無線ＬＡＮ方式によるデータ更新はトラブルが多いため、配線工事が必要となる有線ＬＡＮ方式を採用せざるを得なかった。
【考案が解決しようとする課題】
【０００３】オフィスがフリーアドレス化する時代において、ＯＡ機器に関しては可能な限りの無線化が求められるが、充電保管庫内に関しては、収納した携帯端末には秘匿性の高い重要なデータも記憶されているため、充電保管庫の筐体を金属により堅牢に構成して施錠が求められ、電波の透過性の悪化や、妨害により無線ＬＡＮ方式によるデータ更新が大きな課題となっている。
【課題を解決するための手段】
【０００４】ルーター本体を保管庫の筐体内に収納するとともにアンテナ部を筐体外に露出させ、ルーター本体と筐体内の複数の携帯端末を接続するか、又はルーター本体とアンテナ部を分離してアンテナ部を筐体外に配置してルーター本体を筐体内に収納し、かつルーター本体とアンテナ部を相互にケーブルで接続するとともに、ルーター本体と複数の携帯端末を有線または無線で接続することにより、電波が保管庫の筐体に妨害される事無く良好な高速ＬＡＮ通信を可能とする。
【考案の効果】
【０００５】無線電波を送受信するためのアンテナ部を充電保管庫の筐体外に分離して構成するかまたは露出させることにより、電波の透過性、妨害による課題を解決し、充電保管庫の筐体内に収納した携帯端末を無線ＬＡＮ方式により高速で安定したデータ更新を行うことが可能となり、配線工事を必要とする有線ＬＡＮケーブルを敷設する必要が無くなる。
【考案を実施するための形態】
【０００６】図２にＷＩＦＩアンテナ２と本体１で構成するＷＩＦＩルーターのＬＡＮ通信を複数の携帯端末５に分配するハブ機能や、ＡＣアダプターにより携帯端末５に充電を行う充電機能を備えるコントローラー３によって携帯端末のＬＡＮ通信ならびに充電制御が行われる。パスの矢印表示は通信パスを示し、実線表示は充電パスを示す。ルーターと携帯端末との通信パスを無線にする場合は別のＷＩＦＩルーター機能を無線ハブとしてコントローラーに搭載し、有線とする場合はスイッチングハブ機能をコントローラーに搭載する。図１並びに図３は、図２に相当するＬＡＮ通信機能、充電機能を充電保管庫の筐体６に収める概念を示している。図１の場合はルーターのアンテナ部２を筐体６の外に露出させており、ルーター本体とコントローラーのハブ機能とは有線接続されている。図３の場合はルーターの無線アンテナ部２とルーターの本体１とは分離されて筐体の外に構成されて相互にケーブルで接続され、ルーター本体とコントローラーのハブ機能とは有線接続されている。
【０００７】図４は携帯端末への充電を行う充電制御を示しており、７は充電電流を測定するための電流センサ、８は充電電流測定のパススイッチ、９は電流センサを通さない充電電流のパススイッチ、４はＡＣアダプター、５は携帯端末を示す。充電電流を測定する場合はスイッチ９を開いて、スイッチ８を閉じ、充電する場合はスイッチ８を開きスイッチ９を閉じる。このように携帯端末を順次に充電電流を測定しつつ、電池残量が少ない携帯端末に対して充電を行うようにスイッチ８，９を制御することにより、携帯端末は常に均一な充電状態を維持する事が出来る。このようにして、無線電波を送受信するためのアンテナ部を充電保管庫の筐体外に露出、または分離構成して電波の透過性を高め、妨害を排除することにより、充電保管庫の筐体内に収納した携帯端末を無線ＬＡＮ方式によりデータ更新を行うことが可能となるため、オフィスに配線工事を必要とする有線ＬＡＮケーブルを敷設する必要が無くなるとともに、携帯端末の電池を常時均一な充電状態に維持することが出来る。
【実施例】
【０００８】充電保管庫は携帯端末として大型のノートパソコン（最大：Ｗ３５０×Ｄ２８０×Ｈ３０ｍｍ）２２台を収納可能とするＷ９３３×Ｄ５３０×Ｈ５０５ｍｍサイズで構成し、収納した携帯端末の持ち去り、盗難を防ぐために筐体を鉄板で構成し、扉には鍵を付与した。保管庫の筐体内における携帯端末へのＬＡＮ信号の分配に関しては、有線のスイッチングハブを採用したが、別のＷＩＦＩルーター機能を適用すれば保管庫内でのＷＩＦＩ通信による分配が可能となる。更に、保管庫の筐体としては強度の高い樹脂で構成しても良く、携帯端末への充電は単純なタイマー方式でも良く、保管庫の筐体内でのＬＡＮ信号の分配はルーターがハブ機能を有している場合は新たにハブ機能を持つ必要は無いなど、素材、ディメンジョンなどに関しては、本考案の趣旨を逸脱しない範囲で有れば種々変形実施が可能である。
【図面の簡単な説明】
【０００９】
【図１】携帯端末へのＬＡＮ通信、ならびに充電電流を制御する構成概念図を示す。
【図２】ＷＩＦＩアンテナを保管庫の筐体から露出させた構成の概念図を示す。
【図３】ＷＩＦＩアンテナをルーター本体と分離して筐体外に構成する概念図を示す。
【図４】携帯端末への充電電流を計測しつつ充電を制御する充電方式の制御概念図を示す。
【符号の説明】１．  ルーター本体
２．  ルーターのアンテナ部
３．  ＬＡＮ通信、充電を制御するコントローラー
４．  ＡＣアダプター
５．  携帯端末
６．  充電保管庫の筐体
７．  電流センサー
８．  充電電流測定パススイッチ
９．  充電パススイッチ
【図１】
0003233808.tif 000003
【図２】
0003233808.tif 000004
【図３】
0003233808.tif 000005
【図４】
0003233808.tif 000006